【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
折り畳み可能な複合バルーンであって、
各々がそれぞれの巻方向に延びる第１及び第２のフィラメントを有する壁を含み、
前記それぞれの巻方向は特定の方向の成分を有し、
前記壁は、さらに第１の壁部分及び第２の壁部分と、前記第１の壁部分の中で前記第１及び第２のフィラメントを分離する圧縮要素とを有し、前記第１及び第２のフィラメントは、それにより、前記圧縮要素で分離された対向する張力要素を定め、その結果、少なくとも前記特定の方向において前記第１の壁部分が前記第２の壁部分よりも剛性が高くなり、
前記第１及び第２の壁部分は、前記バルーンが折り畳まれたときに前記第１の部分が前記第２の部分よりも曲げに抵抗するように配置されることを特徴とするバルーン。
【請求項２】
折り畳み可能な複合バルーンであって、
各々がそれぞれの巻方向に延びる第１及び第２のフィラメントが取り付けられたポリマー・マトリックスの壁を含み、
前記それぞれの巻方向は特定の方向の成分を有し、
前記第１及び第２のフィラメントは第１の壁部分の中で前記ポリマー・マトリックスのマトリックス部分によって離間され、その結果、前記第１及び第２のフィラメントが前記マトリックス部分によって分離された対向する張力要素を定めるようになっており、その結果として、少なくとも前記特定の方向において前記第１の壁部分が第２の壁部分よりも剛性が高くなり、
前記第１及び第２の壁部分は、前記バルーンが折り畳まれたときに前記第１の部分が前記第２の部分よりも曲げに抵抗するように配置されることを特徴とするバルーン。
【請求項３】
折り畳み可能な複合バルーンであって、
ポリマー・マトリックスとそれに取り付けられたフィラメント構造体とを備えたボディを含み、
前記ボディは、第１及び第２の部分と、前記第２の部分内に位置する折り畳み線とを有し、
前記フィラメント構造体は、
少なくとも前記折り畳み線に垂直な方向において、前記第１の部分で前記第２の部分よりも前記ボディの剛性が高くなるように構成されること、又は
稜線を備えた型の上で前記ボディを形成することによる前記フィラメント構造体内の張力の結果として、前記第１の部分よりも前記折り畳み線に沿って折り畳まれる方が有利な機械的バイアスを発生させるように構成されること、
のいずれかにより、前記折り畳み線に沿った折り畳みを促進するように構成されることを特徴とするバルーン。
【請求項４】
前記フィラメント構造体は、少なくとも前記折り畳み線に垂直な方向において前記第１の部分で前記第２の部分よりも前記ボディの剛性が高くなるように構成されることを特徴とする請求項３に記載のバルーン。
【請求項５】
前記フィラメント構造体は、第１及び第２のフィラメントと圧縮要素とを含み、前記第１の部分は、少なくとも一部には、前記第１の部分の前記第１及び第２のフィラメントが、その間に圧縮要素を伴って配置されることにより前記圧縮要素によって分離された対向する張力要素を定める結果として、少なくとも前記折り畳み線に垂直な方向で剛性がより高くなることを特徴とする請求項３に記載のバルーン。
【請求項６】
折り畳み可能な複合バルーンであって、
ポリマー・マトリックスの壁を含み、前記壁は前記ポリマー・マトリックスとは異なる材料の組み込み要素を有し、前記組み込み要素は、前記壁が第１の部分と第２の部分とを有するように配置され、前記第１の部分の剛性は前記第２の部分の剛性よりも低く、その結果、前記壁が前記第１の部分において前記第２の部分よりも容易に折り畳まれることを特徴とするバルーン。
【請求項７】
折り畳み可能な複合バルーンであって、
細長い強化部材と第１の部分と第２の部分とを有する壁を含み、
前記細長い強化部材の配置は、前記壁が前記第２の部分で前記第１の部分よりも剛性が高くなるようになっており、これにより、前記バルーンは低剛性部分に一致する輪郭に沿って折り畳まれる傾向を有することを特徴とするバルーン。
【請求項８】
折り畳み可能な複合体バルーンであって、
第１の壁部分と第２の壁部分とを備えた壁を定める編組強化構造体を含み、
前記編組強化構造体の編組パターンは、前記壁が前記第１の壁部分において前記第２の壁部分よりも剛性が高くなるようになっており、
前記第１及び第２の壁部分は、前記バルーンが折り畳まれたときに前記第１の部分が前記第２の部分よりも曲げに抵抗するように配置されることを特徴とするバルーン。
【請求項９】
少なくとも前記第１の壁部分が、その上に電波不透過性コーティングを有していることを特徴とする請求項１乃至８の何れか１項に記載のバルーン。
【請求項１０】
前記第１の壁部分のみが、その上に電波不透過性コーティングを有していることを特徴とする請求項９に記載のバルーン。
【請求項１１】
少なくとも前記第１の壁部分が、その中に組み込まれた電波不透過性材料を有していることを特徴とする請求項１乃至１０の何れか１項に記載のバルーン。
【請求項１２】
前記第１の壁部分のみが、その中に組み込まれた電波不透過性材料を有していることを特徴とする請求項１１に記載のバルーン。
【請求項１３】
前記第１及び第２のフィラメントは、前記第１の壁部分及び第２の壁部分を連続的に通って延びる細長い部材の一部であることを特徴とする請求項１乃至１２の何れか１項に記載のバルーン。
【請求項１４】
前記第１及び第２のフィラメントは、編組の少なくとも一部を定めるように編組みされることを特徴とする請求項１乃至１３の何れか１項に記載のバルーン。
【請求項１５】
前記編組は、前記第１及び第２の壁部分の中に０°編組ヤーンとして延びる第３のフィラメントを有する三軸部分を含み、前記第１の部分内の前記第３のフィラメントは前記第２の壁部分内の前記第３のフィラメントよりも太く、前記第３のフィラメントは前記圧縮要素の少なくとも一部を形成することを特徴とする請求項１４に記載のバルーン。
【請求項１６】
前記バルーンは長手方向軸を有し、前記第１及び第２のフィラメントは前記第１及び第２の壁部分内で互いに交差して交差点を形成し、前記交差点は前記第２の壁部分内では長手軸方向に整列するが、前記第１の壁部分内では整列しないことを特徴とする請求項１４又は１５に記載のバルーン。
【請求項１７】
前記バルーンは長手方向軸を有し、前記第１及び第２のフィラメントは前記第１及び第２の壁部分内で互いに交差して交差点を形成し、前記交差点は前記第２の壁部分内では長手方向軸の向きに整列するが、前記第１の壁部分内では整列しないことを特徴とする請求項１乃至１６の何れか１項に記載のバルーン。
【請求項１８】
前記壁は長手方向軸を有し、前記第２の壁部分は前記軸に対して整列することを特徴とする請求項１乃至１７の何れか１項に記載のバルーン。
【請求項１９】
前記壁は長手方向軸を有し、前記第２の壁部分の少なくとも一部は前記長手方向軸の周囲を巡る螺旋状経路に従うことを特徴とする請求項１乃至１７の何れか１項に記載のバルーン。
【請求項２０】
前記壁はマトリックスとその中に包埋された部材とを含み、前記第１及び第２のフィラメントは前記マトリックス内に包埋され、前記部材の少なくとも幾つかは前記圧縮要素の少なくとも一部を形成することを特徴とする請求項１乃至１９の何れか１項に記載のバルーン。
【請求項２１】
前記フィラメント構造体は層を備えた編組を含み、前記編組は、前記第１の部分の方が前記第２の部分よりも剛性が高くなるように、前記第１の部分において前記第２の部分よりも多くの層を有することを特徴とする請求項５に記載のバルーン。
【請求項２２】
外面上に露出した強化繊維のアレイを有するバルーン体を含み、
前記強化繊維の少なくとも幾つかは、前記バルーン体の表面上に電場が連続的に生成されるように、電圧源に接続可能な導電性サブセットであることを特徴とする医療用バルーン。
【請求項２３】
外面上に露出した強化繊維のアレイを有するバルーン体を含み、
前記強化繊維の少なくとも幾つかは、電波不透過性材料を組み込んでいることを特徴とする医療用バルーン。